(57)【要約】【課題】バスバーを用いた三相交流電力から単相交流電力への変換について、省スペース化を図ると共に、送電方式の違いに容易に対応する。【解決手段】電子装置１−１は、三相交流電力が供給される５本の入力側バスバー１１〜１５と、これら５本の入力側バスバーに接続されて単相交流電力が供給される３つのユニットＰ，Ｑ，Ｒとを備える。３つのユニットＰ，Ｑ，Ｒは、第１，第２の端子Ｐ１，Ｐ２を有する第１のユニットＰと、第３，第４の端子Ｑ１，Ｑ２を有する第２のユニットＱと、第５，第６の端子Ｒ１，Ｒ２を有する第３のユニットＲとである。上記５本の入力側バスバーは、第１，第３の端子Ｐ１，Ｑ１に接続される第１の入力側バスバー１１と、第５の端子Ｒ１に接続される第２の入力側バスバー１２と、第２の端子Ｐ２に接続される第３の入力側バスバー１３と、第４の端子Ｑ２に接続される第４の入力側バスバー１４と、第６の端子Ｒ２に接続される第５の入力側バスバー１５とである。【選択図】図２Ａ
2012249472.tif 000002
【特許請求の範囲】
【請求項１】
三相交流電力が供給される５本の入力側バスバーと、
前記５本の入力側バスバーに接続されて単相交流電力が供給される３つのユニットと、
を備え、
前記３つのユニットは、
第１の端子および第２の端子を有する第１のユニットと、
第３の端子および第４の端子を有する第２のユニットと、
第５の端子および第６の端子を有する第３のユニットと、
であり、
前記５本の入力側バスバーは、
前記第１の端子および前記第３の端子に接続される第１の入力側バスバーと、
前記第５の端子に接続される第２の入力側バスバーと、
前記第２の端子に接続される第３の入力側バスバーと、
前記第４の端子に接続される第４の入力側バスバーと、
前記第６の端子に接続される第５の入力側バスバーと、
である、ことを特徴とする電子装置。
【請求項２】
三相交流電力が供給される５本の入力側バスバーと、
前記５本の入力側バスバーに接続されて単相交流電力が供給される３つのユニットと、
を備え、
前記３つのユニットは、
第１の端子および第２の端子を有する第１のユニットと、
第３の端子および第４の端子を有する第２のユニットと、
第５の端子および第６の端子を有する第３のユニットと、
であり、
前記５本の入力側バスバーは、
前記第１の端子および前記第３の端子に接続される入力側第１のバスバーと、
前記第５の端子に接続される第２の入力側バスバーと、
前記第２の端子に接続される第３の入力側バスバーと、
前記第４の端子に接続される第４の入力側バスバーと、
前記第６の端子に接続される第５の入力側バスバーと、
であり、
前記第２の入力側バスバーと前記第３の入力側バスバーとは、互いに連結され、
前記第４の入力側バスバーと前記第５の入力側バスバーとは、互いに連結され、
前記５本の入力側バスバーには、前記第１の入力側バスバーと、前記第２の入力側バスバーおよび前記第３の入力側バスバーの連結体と、前記第４の入力側バスバーおよび前記第５の入力側バスバーの連結体とに三相３線の電力供給線が接続されて前記三相交流電力が供給される、
ことを特徴とする電子装置。
【請求項３】
三相交流電力が供給される５本の入力側バスバーと、
前記５本の入力側バスバーに接続されて単相交流電力が供給される３つのユニットと、
を備え、
前記３つのユニットは、
第１の端子および第２の端子を有する第１のユニットと、
第３の端子および第４の端子を有する第２のユニットと、
第５の端子および第６の端子を有する第３のユニットと、
であり、
前記５本の入力側バスバーは、
前記第１の端子および前記第３の端子に接続される入力側第１のバスバーと、
前記第５の端子に接続される第２の入力側バスバーと、
前記第２の端子に接続される第３の入力側バスバーと、
前記第４の端子に接続される第４の入力側バスバーと、
前記第６の端子に接続される第５の入力側バスバーと、
であり、
前記第１の入力側バスバーと前記第２の入力側バスバーとは、互いに連結され、
前記５本の入力側バスバーには、前記第１の入力側バスバーおよび前記第２の入力側バスバーの連結体と、前記第３の入力側バスバーと、前記第４の入力側バスバーと、前記第５のバスバーとに三相４線の電力供給線が接続されて前記三相交流電力が供給され、
前記第１の入力側バスバーおよび前記第２の入力側バスバーの連結体に接続されるのは、前記三相４線の電力供給線のうちの中性線である、
ことを特徴とする電子装置。
【請求項４】
請求項１から請求項３のいずれか記載の電子装置において、
前記第１の端子に接続された第１の供給側バスバーと、
前記第２の端子に接続された第２の供給側バスバーと、
前記第３の端子に接続された第３の供給側バスバーと、
前記第４の端子に接続された第４の供給側バスバーと、
前記第５の端子に接続された第５の供給側バスバーと、
前記第６の端子に接続された第６の供給側バスバーと、
を更に備え、
前記第１の入力側バスバーは、前記第１の供給側バスバーおよび前記第３の供給側バスバーを介して前記第１の端子および前記第３の端子に接続され、
前記第２の入力側バスバーは、前記第５の供給側バスバーを介して前記第５の端子に接続され、
前記第３の入力側バスバーは、前記第２の供給側バスバーを介して前記第２の端子に接続され、
前記第４の入力側バスバーは、前記第４の供給側バスバーを介して前記第４の端子に接続され、
前記第５の入力側バスバーは、前記第６の供給側バスバーを介して前記第６の端子に接続される、
ことを特徴とする電子装置。
【請求項５】
請求項１記載の電子装置において、
前記第１の入力側バスバーと前記第２の入力側バスバーとの間隔は、前記第２の入力側バスバーと前記第３の入力側バスバーとの間隔に一致し、
前記第１の入力側バスバーおよび前記第２の入力側バスバーと、前記第２の入力側バスバーおよび前記第３の入力側バスバーとは、同一の連結具によって連結可能である、
ことを特徴とする電子装置。
【請求項６】
請求項１記載の電子装置において、
前記第１の入力側バスバーと前記第２の入力側バスバーとの間隔および前記第２の入力側バスバーと前記第３の入力側バスバーとの間隔のうち少なくとも一方と、前記第３の入力側バスバーと前記第４の入力側バスバーとの間隔と、前記第４の入力側バスバーと前記第５の入力側バスバーとの間隔とは、互いに相違する、
ことを特徴とする電子装置。
【請求項７】
請求項６記載の電子装置において、
前記第１の入力側バスバーと前記第２の入力側バスバーとの間隔は、前記第２の入力側バスバーと前記第３の入力側バスバーとの間隔に一致する、
ことを特徴とする電子装置。
【請求項８】
請求項２記載の電子装置において、
前記第１の入力側バスバーと、前記第２の入力側バスバーおよび前記第３の入力側バスバーの連結体と、前記第４の入力側バスバーおよび前記第５の入力側バスバーの連結体とには、同一線上で前記三相３線の電力供給線が接続される、
ことを特徴とする電子装置。
【請求項９】
請求項８記載の電子装置において、
前記第１の入力側バスバーと、前記第３の入力側バスバーと、前記第４の入力側バスバーと、前記第５の入力側バスバーとの先端は、同一線上に位置し、
前記第１の入力側バスバーの先端と、前記第３の入力側バスバーの先端と、前記第４の入力側バスバーの先端および前記第５の入力側バスバーの先端を連結する連結具とにおいて、同一線上で前記三相３線の電力供給線が接続される、
ことを特徴とする電子装置。
【請求項１０】
請求項３記載の電子装置において、
前記第１の入力側バスバーおよび前記第２の入力側バスバーの連結体と、前記第３の入力側バスバーと、前記第４の入力側バスバーと、前記第５の入力側バスバーとには、同一線上で前記三相４線の電力供給線が接続される、
ことを特徴とする電子装置。
【発明の詳細な説明】
【技術分野】
【０００１】
本明細書で論じる実施態様は、バスバーを備える電子装置に関する。
【背景技術】
【０００２】
近年、データセンタ等に設置されるサーバ装置は、スペースを有効活用するため、より高密度に実装された装置が増えている。
サーバ装置の海外販売を行う場合、装置が使用する電源電圧は日本や北米で使用される三相３線式に加えて、ヨーロッパや中国で多く使用されている三相４線式にも対応することが望まれる。
【０００３】
装置筐体内でバスバーを用いて三相交流電力から単相交流電力へ変換を行う場合、それぞれの送電方式によってバスバーの接続構造が異なるため、それぞれに合わせたバスバー構造を装置に搭載することがある。
【０００４】
なお、バスバーは、電源供給ラインとして使用される例えば細長い板状或いは棒状の金属部材である。
図１０Ａに示す電子装置１０１−１（三相３線：Δ結線）は、３つのユニットＰ，Ｑ，Ｒに単相交流電力を供給するため、三相３線の電源が入力される各電力供給線Ｌ１，Ｌ２，Ｌ３に接続された３本の入力側バスバー１１１，１１２，１１３を備える。
【０００５】
電力供給線Ｌ１に接続された入力側バスバー１１１は、ユニットＰに接続された供給側バスバー１２１と、ユニットＱに接続された供給側バスバー１２３とに接続される。
電力供給線Ｌ２に接続された入力側バスバー１１２は、ユニットＰに接続された供給側バスバー１２２と、ユニットＲに接続された供給側バスバー１２５とに接続される。
【０００６】
電力供給線Ｌ３に接続された入力側バスバー１１３は、ユニットＱに接続された供給側バスバー１２４と、ユニットＲに接続された供給側バスバー１２６とに接続される。
なお、各電力供給線Ｌ１，Ｌ２、Ｌ３、バスバー１１１〜１２６、およびユニットＰ，Ｑ，Ｒは、例えば、ボルトやネジで互いに接続される。
【０００７】
図１０Ｂに示す電子装置１０１−２（三相４線：Ｙ結線）は、３つのユニットＰ，Ｑ，Ｒに単相交流電力を供給するため、三相４線の電源が入力される各電力供給線Ｎ，Ｌ１，Ｌ２，Ｌ３に接続された４本の入力側バスバー１３１，１３２，１３３，１３４を備える。
【０００８】
中性線Ｎに接続された入力側バスバー１３１は、ユニットＰに接続された供給側バスバー１４１と、ユニットＱに接続された供給側バスバー１４３と、ユニットＲに接続された供給側バスバー１４５とに接続される。
【０００９】
電力供給線Ｌ１に接続された入力側バスバー１３２は、ユニットＰに接続された供給側バスバー１４２に接続される。
電力供給線Ｌ２に接続された入力側バスバー１３３は、ユニットＱに接続された供給側バスバー１４４に接続される。
【００１０】
電力供給線Ｌ３に接続された入力側バスバー１３４は、ユニットＲに接続された供給側バスバー１４６に接続される。
【先行技術文献】
【特許文献】
【００１１】
【特許文献１】特開平１１−２３４８１５号公報
【特許文献２】特開２００１−２１６０３２号公報
【発明の概要】
【発明が解決しようとする課題】
【００１２】
ところで、装置出荷後の装置の移設や装置出荷前の仕様変更等の理由により、同一の装置筐体にて送電方式を切り替える必要がある場合、そのバスバー部分を丸ごと交換する必要がある。
【００１３】
バスバー部分自体は、高密度実装された上述のサーバ装置や、その他の電子装置内にてユニット部品等への電力を供給する必要があり、装置内部に位置し工具等が容易に触れられない部分（図１０Ａおよび図１０Ｂでは、筐体１５０内の二点鎖線で示す部分１５０ａ）にあることが多い。そのため、バスバー部分の交換にはユニット部品等他の部品を外さないと工具等が到達できないという理由により手間と時間が掛かってしまう。
【００１４】
また、そのような手間をなくすために、あらかじめ両方の構造を装置に搭載しておき、それぞれの送電方式で使い分けもしくはスイッチ等を用いて切替えを行う場合には、バスバーの本数増加や、スイッチ部分の構造部品の追加等でスペースを多く必要としてしまうため、高密度実装を行うことが出来ない。
【００１５】
本明細書で開示する電子装置は、バスバーを用いた三相交流電力から単相交流電力への変換について、省スペース化を図ることができると共に、送電方式の違いに容易に対応することができるようにする。
【課題を解決するための手段】
【００１６】
本明細書で開示する電子装置は、三相交流電力が供給される５本の入力側バスバーと、これら５本の入力側バスバーに接続されて単相交流電力が供給される３つのユニットと、を備える。上記３つのユニットは、第１の端子および第２の端子を有する第１のユニットと、第３の端子および第４の端子を有する第２のユニットと、第５の端子および第６の端子を有する第３のユニットとである。上記５本の入力側バスバーは、上記第１の端子および上記第３の端子に接続される第１の入力側バスバーと、上記第５の端子に接続される第２の入力側バスバーと、上記第２の端子に接続される第３の入力側バスバーと、上記第４の端子に接続される第４の入力側バスバーと、上記第６の端子に接続される第５の入力側バスバーとである。
【発明の効果】
【００１７】
本明細書で開示する電子装置によれば、バスバーを用いた三相交流電力から単相交流電力への変換について、省スペース化を図ることができると共に、送電方式の違いに容易に対応することができる。
【図面の簡単な説明】
【００１８】
【図１】第１実施形態におけるバスバーの構造を示す概略構造図である。
【図２Ａ】第１実施形態に係る電子装置（送電方式：三相３線）を示す概略構成図である。
【図２Ｂ】第１実施形態に係る電子装置（送電方式：三相４線）を示す概略構成図である。
【図３】第２実施形態におけるバスバーの構造を示す概略構造図である。
【図４】第２実施形態におけるバスバーの連結を説明するための説明図である。
【図５】第３実施形態におけるバスバーの構造を示す概略構造図である。
【図６Ａ】第３実施形態に係る電子装置（送電方式：三相３線）を示す概略構成図である。
【図６Ｂ】第３実施形態に係る電子装置（送電方式：三相４線）を示す概略構成図である。
【図７Ａ】第４実施形態に係る電子装置（送電方式：三相３線）を示す概略構成図である。
【図７Ｂ】第４実施形態に係る電子装置（送電方式：三相４線）を示す概略構成図である。
【図８】第５実施形態におけるバスバーの構造を示す概略構造図である。
【図９Ａ】第５実施形態に係る電子装置（送電方式：三相３線）を示す概略構成図である。
【図９Ｂ】第５実施形態に係る電子装置（送電方式：三相４線）を示す概略構成図である。
【図１０Ａ】参考技術に係る電子装置（送電方式：三相３線）を示す概略構成図である。
【図１０Ｂ】参考技術に係る電子装置（送電方式：三相４線）を示す概略構成図である。
【発明を実施するための形態】
【００１９】
以下、実施の形態に係る電子装置について、図面を参照しながら説明する。
＜第１実施形態＞
図１は、第１実施形態におけるバスバーの構造を示す概略構造図である。
【００２０】
図２Ａは、第１実施形態に係る電子装置１−１（送電方式：三相３線）を示す概略構成図である。
図２Ｂは、第１実施形態に係る電子装置１−２（送電方式：三相４線）を示す概略構成図である。
【００２１】
図１〜図２Ｂに示すように、例えばサーバ装置である電子装置１は、三相交流電力が供給される第１〜第５の入力側バスバー１１，１２，１３，１４，１５と、これら５本のバスバーに接続されて単相交流電力が供給される３つのユニットＰ，Ｑ，Ｒと、を備える。
【００２２】
第１のユニットＰは、第１の端子Ｐ１および第２の端子Ｐ２を有する。
第２のユニットＱは、第３の端子Ｑ１および第４の端子Ｑ２を有する。
第３のユニットＲは、第５の端子Ｒ１および第６の端子Ｒ２を有する。
【００２３】
第１〜第６の端子Ｐ１〜Ｒ２には、第１〜第５の入力側バスバー１１〜１５に直角をなすように配置された第１〜第６の供給側バスバー２１〜２６が接続される。なお、本実施形態のバスバー１１〜１５，２１〜２６は、例えば、２〜４ｍｍ（数ｍｍ）の厚さの銅の板を適宜曲げ等の加工がされて形成されたものであるが、厚さや材料はそれ以外のものも採用可能である。
【００２４】
第１の入力側バスバー１１は、第１の供給側バスバー２１および第３の供給側バスバー２３に接続されることで、第１の端子Ｐ１および第３の端子Ｑ１に接続される。
第２の入力側バスバー１２は、第５の供給側バスバー２５に接続されることで、第５の端子Ｒ１に接続される。
【００２５】
第３の入力側バスバー１３は、第２の供給側バスバー２２に接続されることで、第２の端子Ｐ２に接続される。
第４の入力側バスバー１４は、第４の供給側バスバー２４に接続されることで、第４の端子Ｑ２に接続される。
【００２６】
第５の入力側バスバー１５は、第６の供給側バスバー２６に接続されることで、第６の端子Ｒ２に接続される。
【００２７】
なお、第１〜第５の入力側バスバー１１〜１５と第１〜第６の供給側バスバー２１〜２６とは、別体ではなく一体であってもよい。また、第１〜第５の入力側バスバー１１〜１５と第１〜第６の供給側バスバー２１〜２６とは、互いに干渉しないように適宜湾曲する。例えば、本実施形態では、第３の供給側バスバー２３は、第３の入力側バスバー１３との干渉を避けるように湾曲し、第５の供給側バスバー２５は、第３の入力側バスバー１３および第４の入力側バスバー１４との干渉を避けるように、湾曲している。
【００２８】
第１の入力側バスバー１１および第３の入力側バスバー１３は、第２，第４，第５の入力側バスバー１２，１４，１５よりも入力側に突出している。
第１〜第５の入力側バスバー１１〜１５の入力側の先端には、例えばタップ加工が施された接続部１１ａ〜１５ａが形成されている。
【００２９】
第１の入力側バスバー１１および第３の入力側バスバー１３には、第２，第４，第５の入力側バスバー１２，１４，１５の接続部１２ａ，１４ａ，１５ａと同一線上にも接続部１１ｂ，１３ｂが形成されている。
【００３０】
図２Ａに示すように、三相３線で送電されるときの電子装置１−１においては、第２の入力側バスバー１２と第３の入力側バスバー１３とは、例えばＩ字状（矩形状）のバスバーである第１の連結具３１によって互いに連結されている。
【００３１】
また、第４の入力側バスバー１４と第５の入力側バスバー１５とは、例えばＴ字状のバスバーである第２の連結具３２によって互いに連結されている。
【００３２】
第１の連結具３１は、例えばすきま穴の加工が施された一端の接続部３１ａにおいて第２の入力側バスバー１２の接続部１２ａに例えばボルトで固定される。また、第１の連結具３１は、例えばすきま穴の加工が施された他端の接続部３１ｂにおいて第３の入力側バスバー１３の接続部１３ｂに例えばボルトで固定される。
【００３３】
第２の連結具３２は、例えばすきま穴の加工が施された左上の接続部３２ａにおいて第４の入力側バスバー１４の接続部１４ａに例えばボルトで固定される。また、第２の連結具３１は、例えばすきま穴の加工が施された右上の接続部３１ｂにおいて第５の入力側バスバー１５の接続部１５ａに例えばボルトで固定される。
【００３４】
電力供給線Ｌ１は、第１の入力側バスバー１１の接続部１１ａに接続されている。
電力供給線Ｌ２は、第３の入力側バスバー１３の接続部１３ａに接続されている。
電力供給線Ｌ３は、第２の連結具３２の下端の例えばタップ加工が施された接続部３２ｃに接続されている。
【００３５】
なお、第２の連結具３２が第４の入力側バスバー１４および第５の入力側バスバー１５を延長する延長部として機能する。そのため、各電力供給線Ｌ１〜Ｌ３と、第１の入力側バスバー１１、第３の入力側バスバー１３、および第２の連結具３２の接続部１１ａ，１３ａ，３２ｃとの接続位置は、同一線Ｃ１上に位置する。
【００３６】
図２Ｂに示すように、三相４線で送電されるときの電子装置１−２においては、第１の入力側バスバー１１と第２の入力側バスバー１２とが、第１の連結具３１によって互いに連結されている。なお、それ以外では、入力側バスバーは、互いには連結されていない。
【００３７】
中性線Ｎは、第１の入力側バスバー１１の接続部１１ａに接続されている。
電力供給線Ｌ１は、第３の入力側バスバー１３の接続部１３ａに接続されている。
電力供給線Ｌ２は、第４の入力側バスバー１４の接続部１４ａに接続されている。
電力供給線Ｌ３は、第５の入力側バスバー１５の接続部１５ａに接続されている。
【００３８】
なお、図２Ａおよび図２Ｂに示す第１の連結具３１および図２Ａに示す第２の連結具３２の連結位置、並びに、各電力供給線Ｌ１〜Ｌ３および中性線Ｎの接続位置は、電子装置１の筐体４０のうち二点鎖線で示す装置内部４０ａ（例えば、工具等が容易に触れられない部分）よりも外側にある。
【００３９】
以上説明した第１実施形態では、電子装置１は、三相交流電力が供給される５本の入力側バスバー１１〜１５と、５本の入力側バスバー１１〜１５に接続されて単相交流電力が供給される３つのユニットＰ，Ｑ，Ｒとを備える。
【００４０】
そのため、三相３線の交流電源と三相４線の交流電源との切り替えを簡素な構成で行うことができる。また、例えば連結具３１，３２のみの入れ替えなど、容易な作業で切り替えを行うことができる。
【００４１】
よって、本実施の形態によれば、バスバーを用いた三相交流電力から単相交流電力への変換について、省スペース化を図ることができると共に、送電方式の違いに容易に対応することができる。
【００４２】
また、バスバー部分の高密度実装が可能であり、装置出荷後の装置の移設や装置出荷前の仕様変更等があっても容易に三相３線式と三相４線式を切り替えることが出来、作業工数の短縮を行うことが可能となる。
【００４３】
また、交換作業が、工具等が容易に到達できる筐体４０外部付近（工具等が届きにくい装置内部４０ａの外側）のみの作業で済むため、作業者の作業エリアが限定でき作業ミスを減らすことが出来ると共に、作業のために使用する工具が到達できるよう筐体内の重さのあるユニット部品等の載せおろしをするのを回避でき安全面でも効果的である。
【００４４】
更には、バスバー部には電流が流れるため、交換後には導通チェックが行われるが、本実施形態では、筐体４０外部付近の電源入力側のみの変更であり、三相交流電力から単相交流電力へ変換後の各ユニットＰ，Ｑ，Ｒまでの導通確認は必須ではなくなりチェック項目が少ないという効果もある。
【００４５】
また、本実施形態では、第１〜第５の入力側バスバー１１〜１５は、第１〜第６の供給側バスバー２１〜２６を介して、第１〜第６の端子Ｐ１〜Ｒ２に接続される。そのため、簡素な構成とすることができる。
【００４６】
また、本実施形態では、図２Ｂにおける第１の入力側バスバー１１と第２の入力側バスバー１２とは、図２Ａにおける第２の入力側バスバー１２と第３の入力側バスバー１３とを連結する連結具３１と同一の連結具３１によって連結可能である。そのため、簡素な構成とすることができる。
【００４７】
また、本実施形態では、各電力供給線Ｌ１〜Ｌ３と、第１の入力側バスバー１１、第３の入力側バスバー１３、および第２の連結具３２の接続部１１ａ，１３ａ，３２ｃとの接続位置は、同一線Ｃ１上に位置する。そのため、作業性をより高めることができる。
【００４８】
＜第２実施形態＞
図３は、第２実施形態におけるバスバーの構造を示す概略構造図である。
図４は、第２実施形態におけるバスバーの連結を説明するための説明図である。
【００４９】
本実施形態は、入力側バスバー１１〜１５の互いの間隔において上述の第１実施形態と相違し、その他の点は同様であるため、詳細な説明は省略する。
図３に示すように、第１の入力側バスバー１１と第２の入力側バスバー１２との間隔Ｓ１、および第２の入力側バスバー１２と第３の入力側バスバー１３との間隔Ｓ１のうち少なくとも一方と、第３の入力側バスバー１３と第４の入力側バスバー１４との間隔Ｓ２と、第４の入力側バスバー１４と第５の入力側バスバー１５との間隔Ｓ３とは、互いに相違する。
【００５０】
また、本実施形態では、第１の入力側バスバー１１と第２の入力側バスバー１２との間隔Ｓ１は、第２の入力側バスバー１２と第３の入力側バスバー１３との間隔Ｓ１に一致する。
【００５１】
図４に示すように、電子装置２の第１の連結具３１は、接続部３１ａ，３１ｂ間の間隔がＳ１である。そのため、上述の第１実施形態の図２Ａに示す三相３線と図２Ｂに示す三相４線との切り替え時に、第１の連結具３１は、第１の入力側バスバー１１と第２の入力側バスバー１２との間（三相３線時）、および、第２の入力側バスバー１２と第３の入力側バスバー１３との間（三相４線時）のみに配置することができる。
【００５２】
なお、第１の入力側バスバー１１と第２の入力側バスバー１２との間（三相３線時）、および、第２の入力側バスバー１２と第３の入力側バスバー１３との間（三相４線時）をそれぞれ異なる連結具で連結する場合には、これらの間隔も互いに相違させるようにするとよい。
【００５３】
第２の連結具３２は、接続部３２ａと接続部３２ｂとの間隔がＳ３である。そのため、上述の第１実施形態の図２Ａに示す三相３線時に、第２の連結具３２は、第４の入力側バスバー１４と第５の入力側バスバー１５との間のみに配置することができる。
【００５４】
以上説明した第２実施形態によっても、上述の第１実施形態と同様の効果、即ち、省スペース化を図ることができると共に、送電方式の違いに容易に対応することができるという効果を得ることができる。
【００５５】
また、本実施形態では、第１の入力側バスバー１１と第２の入力側バスバー１２との間隔Ｓ１、および第２の入力側バスバー１２と第３の入力側バスバー１３との間隔Ｓ１のうち少なくとも一方と、第３の入力側バスバー１３と第４の入力側バスバー１４との間隔Ｓ２と、第４の入力側バスバー１４と第５の入力側バスバー１５との間隔Ｓ３とは、互いに相違する。また、本実施形態では、第１の入力側バスバー１１と第２の入力側バスバー１２との間隔Ｓ１は、第２の入力側バスバー１２と第３の入力側バスバー１３との間隔Ｓ１に一致する。そのため、連結具の配置ミスを防ぐことができ、したがって、より容易に送電方式の違いに対応することができる。
【００５６】
＜第３実施形態＞
図５は、第３実施形態におけるバスバーの構造を示す概略構造図である。
図６Ａは、第３実施形態に係る電子装置３−１（送電方式：三相３線）を示す概略構成図である。
【００５７】
図６Ｂは、第３実施形態に係る電子装置３−２（送電方式：三相４線）を示す概略構成図である。
本実施形態は、入力側バスバー１１〜１５の長さおよび連結具３１〜３３の配置において上述の第１実施形態と相違し、その他の点は同様であるため、詳細な説明は省略する。
【００５８】
第１，第３，第４，第５の入力側バスバー１１，１３，１４，１５は、第２の入力側バスバー１２よりも入力側に突出している。
第１〜第５の入力側バスバー１１〜１５の入力側の先端には、例えばタップ加工が施された接続部１１ａ〜１５ａが形成されている。なお、第１，第３，第４，第５の入力側バスバー１１，１３，１４，１５の接続部１１ａ，１３ａ，１４ａ，１５ａは、同一線Ｃ２上に位置する。
【００５９】
第１の入力側バスバー１１および第３の入力側バスバー１３には、第２の入力側バスバー１２の接続部１２ａと同一線上にも接続部１１ｂ，１３ｂが形成されている。
図６Ａに示すように、三相３線で送電されるときの電子装置３−１においては、第２の入力側バスバー１２と第３の入力側バスバー１３とは、例えばＬ字状のバスバーである第３の連結具３３によって互いに連結されている。
【００６０】
また、第４の入力側バスバー１４と第５の入力側バスバー１５とは、例えばＴ字状のバスバーである上述の第２の連結具３２によって互いに連結されている。
また、第１の入力側バスバー１１の先端には、例えばＩ字状のバスバーである上述の第１の連結具３１を接続部１１ａに接続し、それよりも先端側で電力供給線Ｌ１に接続される。
【００６１】
第３の連結具３３は、例えばすきま穴の加工が施された左上の接続部３３ａにおいて第２の入力側バスバー１２の接続部１２ａに例えばボルトで固定される。また、第３の連結具３３は、例えばすきま穴の加工が施された右上の接続部３３ｂにおいて第３の入力側バスバー１３の接続部１３ｂに例えばボルトおよびナットで固定される。
【００６２】
また、第３の連結具３３は、例えばタップ加工が施された右下の接続部３３ｃにおいて第３の入力側バスバー１３の接続部１３ａよりも先端側で電力供給線Ｌ２に接続される。
第４の入力側バスバー１４と第５の入力側バスバー１５とを連結する第２の連結具３２については、上述の第１実施形態（図２Ａ）と同様である。
【００６３】
上記第１〜第３の連結具３１〜３３は、第１の入力側バスバー１１と、第２の入力側バスバー１２および第３の入力側バスバー１３の連結体と、第４の入力側バスバー１４および第５の入力側バスバー１５の連結体とのうちの少なくとも１つ（本実施形態では３つすべて）に、三相３線の電力供給線Ｌ１〜Ｌ３との間において連結される延長部として機能する。
【００６４】
以上のような構成で、電力供給線Ｌ１〜Ｌ３は、同一線Ｃ３上で連結具３１，３３，３２に接続される。
【００６５】
図６Ｂに示すように、三相４線で送電されるときの電子装置３−２においては、上述の第１実施形態（図２Ｂ）と同様に、第１の入力側バスバー１１と第２の入力側バスバー１２とが、第１の連結具３１によって互いに連結され、それ以外では、入力側バスバーは互いに連結されていない。
【００６６】
中性線Ｎおよび電力供給線Ｌ１〜Ｌ３は、第１，第３，第４，第５の入力側バスバー１１，１３，１４，１５の先端に位置する接続部１１ａ，１３ａ，１４ａ，１５ａにおいて同一線Ｃ２上で接続される。
【００６７】
以上説明した第３実施形態によっても、上述の第１実施形態と同様の効果、即ち、省スペース化を図ることができると共に、送電方式の違いに容易に対応することができるという効果を得ることができる。
【００６８】
また、本実施形態では、三相３線時における電力供給線Ｌ１〜Ｌ３の位置が同一線Ｃ３上に位置し、三相４線時における中性線Ｎおよび電力供給線Ｌ１〜Ｌ３の位置が同一線Ｃ２上に位置する。そのため、作業者がそれぞれの場合において、高さを変えることなく作業でき作業性が良くなる。また上下のそれぞれの高さ（位置）のラインで三相３線式と三相４線式との位置（線Ｃ２，Ｃ３）が異なるため、より容易に送電方式の違いに対応することができる。
【００６９】
＜第４実施形態＞
図７Ａは、第４実施形態に係る電子装置４−１（送電方式：三相３線）を示す概略構成図である。
【００７０】
図７Ｂは、第４実施形態に係る電子装置４−２（送電方式：三相４線）を示す概略構成図である。
本実施形態では、三相４線時における配置（図７Ｂ）は、第３実施形態の配置（図６Ｂ）と同様であるが、第１の入力側バスバー１１と第２の入力側バスバー１２とは、後述する第４の連結具３４によって連結されている。
【００７１】
一方、図７Ａに示すように、三相３線で送電されるときの電子装置４−１においては、電力供給線Ｌ１〜Ｌ３の接続位置が三相４線時と同一線Ｃ２上に位置するように、第１の入力側バスバー１１には、第１の連結具３１が配置されず、第１実施形態（図２Ａ）と同様に接続部１１ａに電力供給線Ｌ１が接続されている。
【００７２】
また、第２の入力側バスバー１２と第３の入力側バスバー１３とは、第１実施形態と同様に連結されているが、本実施形態では、接続部３４ａ，３４ｂ，３４ｃが長手方向に３つ連続で形成された例えばＩ字状（矩形状）のバスバーである第４の連結具３４によって互いに連結されている。
【００７３】
第４の入力側バスバー１４と第５の入力側バスバー１５とは、第２の入力側バスバー１２と第３の入力側バスバー１３とを連結する第４の連結具３４と同一形状の連結具（第４の連結具３４）によって連結されている。第４の連結具３４の中央の接続部３４ｂには、電力供給線Ｌ３が接続されている。
【００７４】
なお、第４の連結具３４の両端の接続部３４ａ，３４ｃには、例えば、すきま穴の加工が施され、中央の接続部３４ｂには、例えば、タップ加工が施されている。
以上説明した第４実施形態によっても、上述の第１実施形態と同様の効果、即ち、省スペース化を図ることができると共に、送電方式の違いに容易に対応することができるという効果を得ることができる。
【００７５】
また、本実施形態では、三相３線時における電力供給線Ｌ１〜Ｌ３の位置と、三相４線時における中性線Ｎおよび電力供給線Ｌ１〜Ｌ３の位置との両方が同一線Ｃ２上に位置する。そのため、作業者がそれぞれの場合において、高さを変えることなく作業でき作業性が良くなる。
【００７６】
ところで、電子装置４が例えばサーバ装置などで、更なる高密度実装を行う場合、共通の筐体４０の使用の元では三相３線と三相４線とで接続位置に差があると電源入力側の接続部分に両方のケースで成り立つためのスペースが必要となる。しかし、本実施形態においては三相３線と三相４線とに関係なく電力供給線Ｌ１〜Ｌ３（および中性線Ｎ）の接続位置を同一線Ｃ２上に揃えることができ、電源入力側の接続部分に必要なスペースも少なくてすむため高密度実装につなげることが出来る。
【００７７】
また、接続位置が揃っていることで、電源入力側の端子接続の作業が三相３線と三相４線とで殆ど変わらないで出来、作業性が向上する。加えて電源入力側の線の長さの統一化が可能である。
【００７８】
更には、本実施形態では、第４の連結具３４を三相３線と三相４線との両方で異なる部分に配置し、部品共通化を行っており、コスト低減、部品管理作業効率向上にもつなげることができる。
【００７９】
更には、本実施形態では、同一形状の第４の連結具３４を三相３線時に２つ用いているため、その点でも部品共通化等を図ることができる。
＜第５実施形態＞
図８は、第５実施形態におけるバスバーの構造を示す概略構造図である。
【００８０】
図９Ａは、第５実施形態に係る電子装置５−１（送電方式：三相３線）を示す概略構成図である。
図９Ｂは、第５実施形態に係る電子装置５−２（送電方式：三相４線）を示す概略構成図である。
【００８１】
本実施形態においても、第１〜第５の入力側バスバー１１〜１５および第１〜第６の供給側バスバー２１〜２６の基本構造は同様であり、詳細な説明は省略する。
【００８２】
図８に示すように、第１〜第５の入力側バスバー１１〜１５は、例えば９０度に屈曲している。第１〜第５の入力側バスバー１１〜１５の先端のみに設けられた接続部１１ａ〜１５ａは、例えば、ボルトでの固定が可能なようにカシメナットが圧入されている。
【００８３】
図９Ａに示すように、三相３線で送電されるときの電子装置５−１においては、第１の入力側バスバー１１の接続部１１ａには、第１の延長用バスバー５１が一端の接続部５１ａにおいて接続され、この第１の延長用バスバー５１には他端５１ｂにおいて電力供給線が接続される。
【００８４】
また、第２の入力側バスバー１２と第３の入力側バスバー１３とは、第２の延長用バスバー５２により連結される。この第２の延長用バスバー５２は、一端の接続部５２ａ，５２ｂにおいて、第２の入力側バスバー１２および第３の入力側バスバー１３を接続部１２ａ，１３ａで連結する。また、第２の延長用バスバー５２には、他端５２ｃにおいて電力供給線が接続される。
【００８５】
また、第４の入力側バスバー１４と第５の入力側バスバー１５とは、第３の延長用バスバー５３により連結される。この第３の延長用バスバー５３は、一端の接続部５３ａ，５３ｂにおいて、第４の入力側バスバー１４および第５の入力側バスバー１５を接続部１４ａ，１５ａで連結する。また、第３の延長用バスバー５３には、他端５３ｃにおいて電力供給線が接続される。
【００８６】
なお、延長用バスバー５１〜５３は、Ｌ字状に屈曲するなどして、例えば、人が作業しやすい位置まで延出するように設けられる。
【００８７】
図９Ｂに示すように、三相４線で送電されるときの電子装置５−２においては、第１の入力側バスバー１１と第２の入力側バスバー１２とは、第４の延長用バスバー５４により連結される。この第４の延長用バスバー５４は、一端の接続部５４ａ，５４ｂにおいて、第１の入力側バスバー１１および第２の入力側バスバー１２を接続部１１ａ，１２ａで連結する。また、第４の延長用バスバー５４には、他端５４ｃにおいて電力供給線が接続される。
【００８８】
また、第３，第４，第５の入力側バスバー１３，１４，１５の接続部１３ａ，１４ａ，１５ａには、第５，第６，第７の延長用バスバー５５，５６，５７が一端の接続部５５ａ，５６ａ，５７ａにおいて接続される。これら第５，第６，第７の延長用バスバー５５，５６，５７は、他端５５ｂ，５６ｂ，５７ｂにおいて電力供給線が接続される。
【００８９】
なお、延長用バスバー５４〜５７も、Ｌ字状に屈曲するなどして、例えば、人が作業しやすい位置まで延出するように設けられる。
【００９０】
以上説明した第５実施形態によっても、上述の第１実施形態と同様の効果、即ち、省スペース化を図ることができると共に、送電方式の違いに容易に対応することができるという効果を得ることができる。
【００９１】
また、本実施形態では、延長用バスバー５１〜５７が配置されていることで、電力供給線（および中性線）の接続部分にドライバーなどの工具が到達できるようにそこを塞いでいる棚を一旦外しておろすといった作業が不要となり、作業効率がより一層向上する。
【００９２】
以上説明した実施の形態に関し、更に以下の付記を開示する。
（付記１）
三相交流電力が供給される５本の入力側バスバーと、
前記５本の入力側バスバーに接続されて単相交流電力が供給される３つのユニットと、
を備え、
前記３つのユニットは、
第１の端子および第２の端子を有する第１のユニットと、
第３の端子および第４の端子を有する第２のユニットと、
第５の端子および第６の端子を有する第３のユニットと、
であり、
前記５本の入力側バスバーは、
前記第１の端子および前記第３の端子に接続される第１の入力側バスバーと、
前記第５の端子に接続される第２の入力側バスバーと、
前記第２の端子に接続される第３の入力側バスバーと、
前記第４の端子に接続される第４の入力側バスバーと、
前記第６の端子に接続される第５の入力側バスバーと、
である、ことを特徴とする電子装置。
（付記２）
三相交流電力が供給される５本の入力側バスバーと、
前記５本の入力側バスバーに接続されて単相交流電力が供給される３つのユニットと、
を備え、
前記３つのユニットは、
第１の端子および第２の端子を有する第１のユニットと、
第３の端子および第４の端子を有する第２のユニットと、
第５の端子および第６の端子を有する第３のユニットと、
であり、
前記５本の入力側バスバーは、
前記第１の端子および前記第３の端子に接続される第１の入力側バスバーと、
前記第５の端子に接続される第２の入力側バスバーと、
前記第２の端子に接続される第３の入力側バスバーと、
前記第４の端子に接続される第４の入力側バスバーと、
前記第６の端子に接続される第５の入力側バスバーと、
であり、
前記第２の入力側バスバーと前記第３の入力側バスバーとは、互いに連結され、
前記第４の入力側バスバーと前記第５の入力側バスバーとは、互いに連結され、
前記５本の入力側バスバーには、前記第１の入力側バスバーと、前記第２の入力側バスバーおよび前記第３の入力側バスバーの連結体と、前記第４の入力側バスバーおよび前記第５の入力側バスバーの連結体とに三相３線の電力供給線が接続されて前記三相交流電力が供給される、
ことを特徴とする電子装置。
（付記３）
三相交流電力が供給される５本の入力側バスバーと、
前記５本の入力側バスバーに接続されて単相交流電力が供給される３つのユニットと、
を備え、
前記３つのユニットは、
第１の端子および第２の端子を有する第１のユニットと、
第３の端子および第４の端子を有する第２のユニットと、
第５の端子および第６の端子を有する第３のユニットと、
であり、
前記５本の入力側バスバーは、
前記第１の端子および前記第３の端子に接続される第１の入力側バスバーと、
前記第５の端子に接続される第２の入力側バスバーと、
前記第２の端子に接続される第３の入力側バスバーと、
前記第４の端子に接続される第４の入力側バスバーと、
前記第６の端子に接続される第５の入力側バスバーと、
であり、
前記第１の入力側バスバーと前記第２の入力側バスバーとは、互いに連結され、
前記５本の入力側バスバーには、前記第１の入力側バスバーおよび前記第２の入力側バスバーの連結体と、前記第３の入力側バスバーと、前記第４の入力側バスバーと、前記第５のバスバーとに三相４線の電力供給線が接続されて前記三相交流電力が供給され、
前記第１の入力側バスバーおよび前記第２の入力側バスバーの連結体に接続されるのは、前記三相４線の電力供給線のうちの中性線である、
ことを特徴とする電子装置。
（付記４）
付記１から付記３のいずれか記載の電子装置において、
前記第１の端子に接続された第１の供給側バスバーと、
前記第２の端子に接続された第２の供給側バスバーと、
前記第３の端子に接続された第３の供給側バスバーと、
前記第４の端子に接続された第４の供給側バスバーと、
前記第５の端子に接続された第５の供給側バスバーと、
前記第６の端子に接続された第６の供給側バスバーと、
を更に備え、
前記第１の入力側バスバーは、前記第１の供給側バスバーおよび前記第３の供給側バスバーを介して前記第１の端子および前記第３の端子に接続され、
前記第２の入力側バスバーは、前記第５の供給側バスバーを介して前記第５の端子に接続され、
前記第３の入力側バスバーは、前記第２の供給側バスバーを介して前記第２の端子に接続され、
前記第４の入力側バスバーは、前記第４の供給側バスバーを介して前記第４の端子に接続され、
前記第５の入力側バスバーは、前記第６の供給側バスバーを介して前記第６の端子に接続される、
ことを特徴とする電子装置。
（付記５）
付記１記載の電子装置において、
前記第１の入力側バスバーと前記第２の入力側バスバーとの間隔は、前記第２の入力側バスバーと前記第３の入力側バスバーとの間隔に一致し、
前記第１の入力側バスバーおよび前記第２の入力側バスバーと、前記第２の入力側バスバーおよび前記第３の入力側バスバーとは、同一の連結具によって連結可能である、
ことを特徴とする電子装置。
（付記６）
付記１記載の電子装置において、
前記第１の入力側バスバーと前記第２の入力側バスバーとの間隔および前記第２の入力側バスバーと前記第３の入力側バスバーとの間隔のうち少なくとも一方と、前記第３の入力側バスバーと前記第４の入力側バスバーとの間隔と、前記第４の入力側バスバーと前記第５の入力側バスバーとの間隔とは、互いに相違する、
ことを特徴とする電子装置。
（付記７）
付記６記載の電子装置において、
前記第１の入力側バスバーと前記第２の入力側バスバーとの間隔は、前記第２の入力側バスバーと前記第３の入力側バスバーとの間隔に一致する、
ことを特徴とする電子装置。
（付記８）
付記２記載の電子装置において、
前記第１の入力側バスバーと、前記第２の入力側バスバーおよび前記第３の入力側バスバーの連結体と、前記第４の入力側バスバーおよび前記第５の入力側バスバーの連結体とには、同一線上で前記三相３線の電力供給線が接続される、
ことを特徴とする電子装置。
（付記９）
付記８記載の電子装置において、
前記第１の入力側バスバーと、前記第３の入力側バスバーと、前記第４の入力側バスバーと、前記第５の入力側バスバーとの先端は、同一線上に位置し、
前記第１の入力側バスバーの先端と、前記第３の入力側バスバーの先端と、前記第４の入力側バスバーの先端および前記第５の入力側バスバーの先端を連結する連結具とにおいて、同一線上で前記三相３線の電力供給線が接続される、
ことを特徴とする電子装置。
（付記１０）
付記８記載の電子装置において、
前記第１の入力側バスバーと、前記第２の入力側バスバーおよび前記第３の入力側バスバーの連結体と、前記第４の入力側バスバーおよび前記第５の入力側バスバーの連結体とのうちの少なくとも１つに、前記三相３線の電力供給線との間に位置する延長部が連結されることで、同一線上で該三相３線の電力供給線が接続される、
ことを特徴とする電子装置。
（付記１１）
付記１０記載の電子装置において、
前記延長部は、前記連結体を連結する連結具である、
ことを特徴とする電子装置。
（付記１２）
付記３記載の電子装置において、
前記第１の入力側バスバーおよび前記第２の入力側バスバーの連結体と、前記第３の入力側バスバーと、前記第４の入力側バスバーと、前記第５の入力側バスバーとには、同一線上で前記三相４線の電力供給線が接続される、
ことを特徴とする電子装置。
（付記１３）
付記２記載の電子装置において、
前記第１の入力側バスバーと、前記第２の入力側バスバーおよび前記第３の入力側バスバーの連結体と、前記第４の入力側バスバーおよび前記第５の入力側バスバーの連結体とは、延長用バスバーに連結され、該延長用バスバーを介して前記三相３線の電力供給線が接続される、
ことを特徴とする電子装置。
（付記１４）
付記３記載の電子装置において、
前記第１の入力側バスバーおよび前記第２の入力側バスバーの連結体と、前記第３の入力側バスバーと、前記第４の入力側バスバーと、前記第５のバスバーとは、延長用バスバーに連結され、該延長用バスバーを介して前記三相４線の電力供給線が接続される、
ことを特徴とする電子装置。
（付記１５）
付記２記載の電子装置において、
前記第２の入力側バスバーおよび前記第３の入力側バスバーの連結体と、前記第４の入力側バスバーおよび前記第５の入力側バスバーの連結体とは、同一形状の連結具によって連結されている、
ことを特徴とする電子装置。
【符号の説明】
【００９３】
１〜５      電子装置
１１〜１５      入力側バスバー
１１ａ〜１５ａ      接続部
１１ｂ，１３ｂ      接続部
３１      第１の連結具
３１ａ，３１ｂ      接続部
３２      第２の連結具
３２ａ，３２ｂ，３２ｃ      接続部
３３      第３の連結具
３３ａ，３３ｂ，３３ｃ      接続部
３４      第４の連結具
３４ａ，３４ｂ，３４ｃ      接続部
４０      筐体
４０ａ      装置内部
５１〜５７      延長用バスバー
５１ａ，５１ｂ      接続部
５２ａ〜５２ｃ      接続部
５３ａ〜５３ｃ      接続部
５４ａ〜５４ｃ      接続部
５５ａ，５５ｂ      接続部
５６ａ，５６ｂ      接続部
５７ａ，５７ｂ      接続部
Ｌ１〜Ｌ３      電力供給線
Ｎ      中性線
Ｐ，Ｑ，Ｒ      ユニット
Ｐ１      第１の端子
Ｐ２      第２の端子
Ｑ１      第３の端子
Ｑ２      第４の端子
Ｒ１      第５の端子
Ｒ２      第６の端子
【図１】
2012249472.tif 000003
【図２Ａ】
2012249472.tif 000004
【図２Ｂ】
2012249472.tif 000005
【図３】
2012249472.tif 000006
【図４】
2012249472.tif 000007
【図５】
2012249472.tif 000008
【図６Ａ】
2012249472.tif 000009
【図６Ｂ】
2012249472.tif 000010
【図７Ａ】
2012249472.tif 000011
【図７Ｂ】
2012249472.tif 000012
【図８】
2012249472.tif 000013
【図９Ａ】
2012249472.tif 000014
【図９Ｂ】
2012249472.tif 000015
【図１０Ａ】
2012249472.tif 000016
【図１０Ｂ】
2012249472.tif 000017